【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
複数のファイルの画像を表示部に一覧表示する表示制御装置であって、
複数のファイルのタイプから、特定のファイルのタイプを基準ファイルのタイプとして設定する設定手段と、
前記複数のファイルから、前記設定手段により設定されたタイプのファイルを前記基準ファイルとして検索する基準ファイル検索手段と、
前記複数のファイルから、前記基準ファイル検索手段により検索された前記基準ファイルと所定の関連性を有する関連ファイルを検索する関連ファイル検索手段と、
前記基準ファイル検索手段により検索された複数の前記基準ファイルの画像を第１の方向に配列して一覧表示すると共に、前記一覧表示されている画像が示す各基準ファイルに関連する関連ファイルの画像を、各基準ファイルの画像の位置で前記第１の方向の配列と交わる第２の方向に配列して一覧表示するように前記表示部を制御する制御手段と、を有することを特徴とする表示制御装置。
【請求項２】
前記設定手段は、前記特定のファイルのタイプとして、静止画ファイル、動画ファイル、音声ファイル、静止画ファイルの静止画が撮影されるときに利用された設定ファイルのうち少なくともいずれかを設定することを特徴とする請求項１に記載の表示制御装置。
【請求項３】
前記関連ファイル検索手段は、前記基準ファイルを記録した際に同時に記録された他のファイルを、前記関連ファイルとして検索することを特徴とする請求項１又は２に記載の表示制御装置。
【請求項４】
前記関連ファイル検索手段は、前記基準ファイルが記録された時刻の情報に基づいて、当該基準ファイルを記録した際に同時に記録された他のファイルを検索することを特徴とする請求項１又は２に記載の表示制御装置。
【請求項５】
前記関連ファイル検索手段は、前記基準ファイルの属性情報であって、当該基準ファイルと他のファイルとの関連を示す関連付け情報に基づいて、当該基準ファイルを記録した際に同時に記録された他のファイルを検索することを特徴とする請求項３又は４に記載の表示制御装置。
【請求項６】
前記関連ファイル検索手段は、前記基準ファイルが静止画ファイルの場合、当該静止画を撮影しているときに録画中であった動画ファイルを関連ファイルとして検索することを特徴とする請求項１又は２に記載の表示制御装置。
【請求項７】
前記関連ファイル検索手段は、前記基準ファイルが動画ファイルの場合、当該動画の録画中に撮影された静止画ファイルを関連ファイルとして検索することを特徴とする請求項１又は２に記載の表示制御装置。
【請求項８】
前記関連ファイル検索手段は、前記基準ファイルが音声ファイルの場合、当該音声を録音しているときに撮影又は録画された静止画ファイルまたは動画ファイルを関連ファイルとして検索することを特徴とする請求項１又は２に記載の表示制御装置。
【請求項９】
前記第１の方向と前記第２の方向は、互いに直交する方向であることを特徴とする請求項１乃至８のいずれか１項に記載の表示制御装置。
【請求項１０】
前記第１の方向は前記表示部の水平方向であり、前記第２の方向は前記表示部の垂直方向であることを特徴とする請求項９に記載の表示制御装置。
【請求項１１】
前記第１の方向は前記表示部の垂直方向であり、前記第２の方向は前記表示部の水平方向であることを特徴する請求項９に記載の表示制御装置。
【請求項１２】
前記設定手段により前記基準ファイルのタイプの設定が変更された場合、前記基準ファイル検索手段及び前記関連ファイル検索手段は前記設定手段により変更されたファイルのタイプに基づく基準ファイルと、当該基準ファイルに関連する関連ファイルとを再び検索し、
前記制御手段は、前記基準ファイルの画像と当該基準ファイルに関連する関連ファイルの画像の一覧表示を更新するように前記表示部を制御することを特徴とする請求項１に記載の表示制御装置。
【請求項１３】
前記制御手段は、一覧表示された前記基準ファイルに関連する関連ファイルの画像の中に、他の基準ファイルに関連する他の関連ファイルの画像と同一のファイルの画像が存在する場合、当該関連ファイルの画像と当該他の関連ファイルの画像が同一のファイルの画像であることを識別可能に表示するように前記表示部を制御することを特徴とする請求項１乃至１２のいずれか１項に記載の表示制御装置。
【請求項１４】
前記第１の方向と、当該第１の方向と直交する第２の方向とに配置された操作手段を更に有し、
前記制御手段は、前記第１の方向に配置された操作手段が操作されたことに応じて、複数の前記基準ファイルのうち、どの基準ファイルを選択状態にするかを決定することを特徴とする請求項１乃至１３のいずれか１項に記載の表示制御装置。
【請求項１５】
前記制御手段は、前記第２の方向に配置された操作手段が操作されたことに応じて、複数の前記関連ファイルのうち、どの関連ファイルを選択状態にするかを決定することを特徴とする請求項１４に記載の表示制御装置。
【請求項１６】
撮像手段を有し、少なくとも前記撮像手段によって撮像された画像の画像ファイルを含む複数のファイルの画像を表示部に一覧表示する撮像装置であって、
複数のファイルのタイプから、特定のファイルのタイプを基準ファイルのタイプとして設定する設定手段と、
前記複数のファイルから、前記設定手段により設定されたタイプのファイルを前記基準ファイルとして検索する基準ファイル検索手段と、
前記複数のファイルから、前記基準ファイル検索手段により検索された前記基準ファイルと所定の関連性を有する関連ファイルを検索する関連ファイル検索手段と、
前記基準ファイル検索手段により検索された複数の前記基準ファイルの画像を第１の方向に配列して一覧表示すると共に、前記一覧表示されている画像が示す各基準ファイルに関連する前記関連ファイルの画像を、各基準ファイルの画像の位置で前記第１の方向の配列と交わる第２の方向に配列して一覧表示するように前記表示部を制御する制御手段と、を有することを特徴とする撮像装置。
【請求項１７】
複数のファイルの画像を表示部に一覧表示する表示制御方法であって、
設定手段が、複数のファイルのタイプから、特定のファイルのタイプを基準ファイルのタイプとして設定する設定工程と、
基準ファイル検索手段が、前記複数のファイルから、前記設定工程で設定されたタイプのファイルを前記基準ファイルとして検索する基準ファイル検索工程と、
関連ファイル検索手段が、前記複数のファイルから、前記基準ファイル検索工程で検索された前記基準ファイルと所定の関連性を有する関連ファイルを検索する関連ファイル検索工程と、
制御手段が、前記基準ファイル検索工程で検索された複数の前記基準ファイルの画像を第１の方向に配列して一覧表示するとともに、前記一覧表示されている画像が示す各基準ファイルに関連する関連ファイルの画像を、各基準ファイルの画像の位置で前記第１の方向の配列と交わる第２の方向に配列して一覧表示するように前記表示部を制御する制御工程と、を有することを特徴とする表示制御方法。
【請求項１８】
撮像手段を有し、少なくとも前記撮像手段によって撮像された画像の画像ファイルを含む複数のファイルの画像を表示部に一覧表示する撮像装置における表示制御方法であって、
設定手段が、複数のファイルのタイプから、特定のファイルのタイプを基準ファイルのタイプとして設定する設定工程と、
基準ファイル検索手段が、前記複数のファイルから、前記設定工程で設定されたタイプのファイルを前記基準ファイルとして検索する基準ファイル検索工程と、
関連ファイル検索手段が、前記複数のファイルから、前記基準ファイル検索工程で検索された前記基準ファイルと所定の関連性を有する関連ファイルを検索する関連ファイル検索工程と、
制御手段が、前記基準ファイル検索工程で検索された複数の前記基準ファイルの画像を第１の方向に配列して一覧表示すると共に、前記一覧表示されている画像が示す各基準ファイルに関連する関連ファイルの画像を、各基準ファイルの画像の位置で前記第１の方向の配列と交わる第２の方向に配列して一覧表示するように前記表示部を制御する制御工程と、を有することを特徴とする表示制御方法。
【請求項１９】
コンピュータを、請求項１乃至１５のいずれか１項に記載の表示制御装置の各手段として機能させるためのプログラム。
【請求項２０】
コンピュータを、請求項１６に記載の撮像装置の各手段として機能させるためのプログラム。
【請求項２１】
コンピュータを、請求項１乃至１５のいずれか１項に記載の表示制御装置の各手段として機能させるためのプログラムを記憶したコンピュータによる読み取りが可能な記憶媒体。
【請求項２２】
コンピュータを、請求項１６に記載の撮像装置の各手段として機能させるためのプログラムを記憶したコンピュータによる読み取りが可能な記憶媒体。
【手続補正２】
【補正対象書類名】明細書
【補正対象項目名】発明の名称
【補正方法】変更
【補正の内容】
【発明の名称】表示制御装置、撮像装置及び表示制御方法、プログラム並びに記憶媒体
【手続補正３】
【補正対象書類名】明細書
【補正対象項目名】０００４
【補正方法】変更
【補正の内容】
【０００４】
上記課題を解決するために、本発明の表示制御装置は、複数のファイルの画像を表示部に一覧表示する表示制御装置であって、複数のファイルのタイプから、特定のファイルのタイプを基準ファイルのタイプとして設定する設定手段と、前記複数のファイルから、前記設定手段により設定されたタイプのファイルを前記基準ファイルとして検索する基準ファイル検索手段と、前記複数のファイルから、前記基準ファイル検索手段により検索された前記基準ファイルと所定の関連性を有する関連ファイルを検索する関連ファイル検索手段と、前記基準ファイル検索手段により検索された複数の前記基準ファイルの画像を第１の方向に配列して一覧表示すると共に、前記一覧表示されている画像が示す各基準ファイルに関連する関連ファイルの画像を、各基準ファイルの画像の位置で前記第１の方向の配列と交わる第２の方向に配列して一覧表示するように前記表示部を制御する制御手段と、を有する。